(57)【要約】【課題】  基板処理装置のプロセスレシピをデータ加工が容易なデータ記述形式に変換し、編集した後、その結果を、装置で使用できるデータ記述形式に変換しそのまま装置に移して使用可能にすることにある。【解決手段】  処理装置が使用できるバイナリ形式のレシピをデータ加工が容易なテキスト形式に変換し且つ表形式でレシピを表示可能とする第１のデータ記述形式変換手段２１と、前記テキスト形式に変換されたレシピの内容を表形式のレシピ編集画面に表示し、レシピの各ステップ毎に表示されるガス種毎の流量、圧力、温度等の制御パラメータを設定し又は修正可能とする表形式編集手段と、前記制御パラメータの編集がされた後の表形式のテキスト形式によるレシピの内容を、処理装置が使用できるバイナリ形式のレシピに変換する第２のデータ記述形式変換手段２３とを設ける。【選択図】        図１
2006093615.tif 000002
【特許請求の範囲】
【請求項１】
複数のステップから構成され、各ステップでのガス種毎の流量、圧力、温度等の制御パラメータが記述されたレシピの内容を実行することにより基板に所定の処理を施す基板処理装置を用いた基板処理システムにおいて、
処理装置が使用できる第１データ記述形式のレシピを、縦軸にステップＩＤ、横軸に前記制御パラメータで記述された表形式又は縦軸と横軸を逆にした表形式のレシピに変換する第１データ形式から表形式への変換手段と、
前記表形式のレシピ編集画面を表示し、レシピの各ステップ毎に表示される前記制御パラメータを設定し又は修正可能とする表形式編集手段と、
前記制御パラメータの編集がされた後の表形式によるレシピの内容を、処理装置が使用できる第１データ記述形式のレシピに変換する表形式から第１データ記述形式への変換手段と、を有することを特徴とする基板処理システム。
【発明の詳細な説明】
【技術分野】
【０００１】
本発明は、複数のステップから構成されるレシピの内容に従って実行することにより、基板に所定の処理を施す基板処理システムに関するものである。
【背景技術】
【０００２】
従来、ウェハに成膜処理を行う基板処理装置、例えば縦型拡散ＣＶＤ装置（コントローラ搭載装置）では、成膜処理に関する処理レシピ（プロセスレシピ）の内容や処理結果などのデータを生産情報データとして収集し、必要に応じて基板処理装置のメインコントローラのディスプレイで参照可能となっている。
【０００３】
図８は従来の縦型拡散ＣＶＤ装置（コントローラ搭載装置）のメインコントローラ１Ｂの構成を示すブロック図である。メインコントローラ１Ｂは、制御部プログラム群により構成される制御部１０、操作部プログラム群により構成される操作部２０及びメモリ３０を有する。メモリ３０には、メモリ３０の各種設定パラメータの格納エリア３１、共用設定パラメータの格納エリア３２、レシピデータ格納エリア３３が用意されている。
【０００４】
制御部１０は、ウェハ移載機２、ヒータ（反応炉）３、ポンプ・圧力バルブ４、ガス配管・ＭＦＣ（マスフロコントローラ）５に対する制御を行うもので、メモリ３０の各種設定パラメータの格納エリア３１を参照して、ガス種毎の流量、圧力、温度等の制御パラメータを展開するモジュール（制御パラメータ展開モジュール）１１を有する。また、制御部１０は、メモリ３０の共用設定パラメータの格納エリア３２を参照して共用設定パラメータを展開するモジュール（共用設定パラメータ展開モジュール）１２や、メモリ３０のレシピデータ格納エリア３３を参照してレシピ内容に従ってシーケンス制御をするモジュール（レシピシーケンス制御モジュール）１３も有する。
【０００５】
一方、操作部２０は、処理装置が使用できるデータ記述形式（バイナリ形式）でハードディスク４０に保存されているファイルを、ＣＳＶ（Ｃｏｍｍａ  Ｓｅｐａｒａｔｅｄ  Ｖａｌｕｅ：カンマ区切りテキスト形式）のテキストファイルに変換するデータ記述形式変換モジュール（データ記述形式変換手段）２１と、外部記憶メディア及びハードディスク４０へのファイルコピーを行うファイルコピー手段２２と、編集画面データ入力手段２５を有する。
【０００６】
すなわち、現状の縦型拡散ＣＶＤ装置（コントローラ搭載装置）では、プロセスレシピや各種制御テーブルファイルをクリーンルーム以外で編集する場合には、クリーンルームにて装置で使用できるバイナリ形式のファイルをＣＳＶテキスト形式ファイルに変換し、クリーンルーム以外の場所（オフィスなど）で、このテキスト形式のファイルを表形式のソフトウエア（商品名“エクセル（ＥＸＣＥＬ）”など）で開く。そして、表形式のソフトウエア上で必要な修正等を加え編集する。最後に、表形式にて編集したレシピを紙に印刷し、この印刷した紙をクリーンルームに持ち込んで、編集画面データ入力手段２５の装置画面上で、当該紙に印刷されているレシピ内容を参照しながら手操作で入力し編集していた。
【発明の開示】
【発明が解決しようとする課題】
【０００７】
しかしながら、手操作により装置に直接入力する方式では、通常、プロセスレシピは１枚につき数十ステップから成るため、入力設定するのに手間がかかる。また、入力設定の操作時に何度も画面を切り替えて行うので入力ミスが発生するおそれがある。
【０００８】
また、次のような課題がある。すなわち、プロセスレシピや制御テーブルファイルを編集する場合にはクリーンルームに入り、装置を使用して編集する必要がある。しかし、近年では自動化が進み、顧客はクリーンルームに頻繁には入らなくなった。従って、クリーンルーム以外の場所でプロセスレシピや制御テーブルを編集し、編集したデータをそのまま装置に移し使用できることが強く要請されている。
【０００９】
そこで、本発明の目的は、従来技術の問題点を解決し、基板処理装置を用いた基板処理システムにおいて、処理装置で使用できるバイナリ形式の如きデータ記述形式によるプロセスレシピを、ＣＳＶテキスト形式ファイルのようなデータ加工が容易なデータ記述形式に変換し、編集した後、その結果を、処理装置で使用できるデータ記述形式に変換して装置で使用できるようにすることにある。
【課題を解決するための手段】
【００１０】
上記目的を達成するため、本発明は、次のように構成したものである。
本発明に係る基板処理システムは、複数のステップから構成され、各ステップでのガス種毎の流量、圧力、温度等の制御パラメータが記述されたレシピの内容を実行することにより基板に所定の処理を施す基板処理装置を用いた基板処理システムにおいて、処理装置が使用できる第１データ記述形式のレシピを縦軸にステップＩＤ、横軸に前記制御パラメータで記述された表形式又は縦軸と横軸を逆にした表形式のレシピに変換する第１データ形式から表形式への変換手段と、前記表形式のレシピ編集画面を表示し、レシピの各ステップ毎に表示される前記制御パラメータを設定し又は修正可能とする表形式編集手段と、前記制御パラメータの編集がされた後の表形式によるレシピの内容を、処理装置が使用できる第１データ記述形式のレシピに変換する表形式から第１データ記述形式への変換手段と、を有することを特徴とする。
【００１１】
更に詳細にいえば、本発明に係る基板処理システムは、複数のステップから構成され、各ステップでのガス種毎の流量、圧力、温度等の制御パラメータが記述されたレシピの内容を実行することにより基板に所定の処理を施す基板処理装置を有する基板処理システムにおいて、処理装置が使用できる第１データ記述形式（例えばバイナリ形式）のレシピをデータ加工が容易な第２データ記述形式（例えばテキスト形式）に変換する第１のデータ記述形式変換手段と、前記第２データ記述形式に変換されたレシピの内容を表形式のレシピ編集画面に表示し、レシピの各ステップ毎に表示されるガス種毎の流量、圧力、温度等の制御パラメータを設定し又は修正可能とする表形式編集手段と、前記制御パラメータの編集がされた後の表形式の第２データ記述形式によるレシピの内容を、処理装置が使用できる第１データ記述形式（例えばバイナリ形式）のレシピに変換する第２のデータ記述形式変換手段と、を有することを特徴とする。
【００１２】
本発明の基板処理システムにおいては、上記表形式編集手段において、一つのレシピを構成するステップの各ステップ毎に、表形式ファイルの１行が割り当てられる。
従って、レシピの流れを考えながら、各ステップ毎に制御パラメータの編集が同一画面で行える。
【００１３】
本発明を半導体装置の製造方法として表現した場合には、次のようになる。
複数のステップから構成され、各ステップでのガス種毎の流量、圧力、温度等の制御パラメータが記述されたレシピの内容を実行することにより基板に所定の処理を施す半導体装置の製造方法において、
処理装置が使用できる第１データ記述形式（例えばバイナリ形式）のレシピをデータ加工が容易な第２データ記述形式（例えばテキスト形式）に変換した後、
そのレシピの内容を表形式のレシピ編集画面に表示して、レシピの各ステップ毎に表示されるガス種毎の流量、圧力、温度等の制御パラメータを設定又は修正し、
この編集がされた表形式の第２データ記述形式によるレシピの内容を、処理装置が使用できる第１データ記述形式のレシピに変換した後、
この処理装置が使用できるデータ記述形式のレシピの内容に従って、各ステップを実行することを特徴とする半導体装置の製造方法。
【００１４】
上記において、第１データ記述形式（バイナリ形式）と第２データ記述形式（テキスト形式）間の変換方式としては、項目を適当な区切り文字で区切る形式であればよく、ＣＳＶやＳＹＬＫを使用することができる。
【発明の効果】
【００１５】
本発明によれば、処理装置で使用できるファイル形式であるプロセスレシピや各種制御テーブルファイルを、第１のデータ記述形式変換手段によりテキスト形式ファイルのようなデータ加工が容易なデータ記述形式に変換し、表形式で編集したテキストファイルの結果を、第２のデータ記述形式変換手段により、バイナリ形式のような処理装置で使用できるデータ記述形式に変換するようにしたので、編集後のプロセスレシピの内容を、手操作による入力を伴わずに、そのまま処理装置に入力して取り込ませることができる。
【００１６】
従って、本発明によれば、プロセスレシピの作成編集とその入力操作に関し、オペレータの作業量を軽減し、設定ミスによる事故発生を抑制して、生産性の向上を実現することができる。
【発明を実施するための最良の形態】
【００１７】
以下、本発明を図示の実施の形態に基づいて説明する。
図１は、本発明の実施形態における基板処理システムの機能を概略的に示したもので、以下のような機能を実現した構成となっている。
【００１８】
（Ａ）クリーンルーム内
（１） 装置内に存在するところの装置で使用できるデータ記述形式（バイナリ形式）のファイルであるプロセスレシピ、各種制御テーブルファイルを、第１のデータ記述形式変換手段により、ＣＳＶテキスト形式（カンマ区切りテキスト形式）ファイルに変換する作業を実施する。
（２）変換されたＣＳＶテキスト形式ファイルを外部記憶メディアに保存する。
（３）外部記憶メディアをオフィスへ持っていく。
【００１９】
（Ｂ）クリーンルーム外（オフィス）
（４）クリーンルームから持参したＣＳＶテキスト形式ファイルを、オフィスに在るパーソナルコンピュータＰＣにおいて、表形式のソフトである商品名“エクセル（ＥＸＣＥＬ）”上で開き、表形式編集を実施する。この段階ではバイナリデータではなくテキストデータを扱っているので、より容易に編集がなされる。
【００２０】
（５）編集後、テキストデータで構成された表形式のレシピを、外部記録メディアにＣＳＶテキスト形式ファイルとして保存し、クリーンルームへ持っていく。
【００２１】
（Ｃ）クリーンルーム内
（６）オフィスから持参したＣＳＶテキスト形式ファイルを装置内のハードディスクＨＤＤにコピーし、第２のデータ記述形式変換手段により、このＣＳＶテキスト形式ファイルを装置で使用できるデータ記述形式（バイナリ形式）のファイルに変換する。
【００２２】
従来のレシピの紙を見ながら入力し編集する場合では入力ミスが生じることがあったが、上記実施形態の場合には、レシピの内容が処理装置のメインコントローラで自動的にデータ変換されるので、従来では生じ得たメインコントローラに入力設定する際の入力ミスをなくすことができる。
【００２３】
図２は、上記クリーンルーム内にて編集を実施する際、各ステップ毎に装置画面上に表示される画面（ステップ編集画面）である。また図３は、上記クリーンルーム外（オフィス）にて表形式編集を実施する際、パーソナルコンピュータＰＣに表示されるレシピの画面（表形式編集画面）を示すもので、多数のステップ（行）より構成される。この実施形態では、表形式編集画面の１行がレシピの１ステップに対応している。従って、数十ものステップから構成されるレシピが図３の表形式ファイルの好ましくは、１画面で表示される。それにより、レシピの流れを考慮しつつ、図２のステップ編集画面のようにステップ毎に画面を切り替えることなく、容易に編集が行える。
【００２４】
図２はステップ編集画面を例示したもので、レシピ名６１、ステップＩＤ６２等の他に、流量の詳細７１としてガス名７２、流量設定値７３などを表示し、温度の詳細８１としてモード（例えばヒータ制御）８２、補正（例えば自動選択）８３、温度設定値（℃）８４などを表示し、また圧力の詳細９１としてモード（例えばＡＰＣバルブ制御）９２、コマンド（例えば圧力設定）９３などを表示するようになっている。図２の場合、代表例として、図３の第０ステップ（ＳＴＡＮＤＢＹ）に属するステップ編集画面を示しており、レシピ名６１として“ＴＵＢＥ−ＢＯＡＴ”、ステップＩＤ６２として“ＳＴＡＮＤＢＹ”を表示している。
【００２５】
尚、クリーンルーム内の装置画面上では、図３の表形式ファイルの各行（各ステップ）毎に、図２のようなレシピ編集画面が表示される。各ステップの切換えは、表示欄９４に表示されているステップ名（ＩＤ：ＮＡＭＥ）の一つを選択することで行われる。矢印キー９５を押すことで表示欄９４の表示範囲が変更される。このようにして各ステップの内容の入力設定及び修正ができるようになっている。図３の表形式編集画面へ戻るときは、図２の画面中のエスケープキー“ＥＳＣ”９６を押すことにより行われる。本実施の形態では、このように装置画面上で図２（ステップ編集画面）と図３（表形式編集画面）とが所定の操作により、容易に切り替えられる機能を有してもよい。
【００２６】
図３のレシピ（表形式編集画面）は、左欄に“イベント”と称して、上から下に「ステップＩＤ」が計４０行ほど設けられ、また左から右にそのステップＩＤにおける時間（ＴＩＭ）、圧力欄としてＳ．ＶＡＬＵＥ、ガス流量欄としてＮ２−１…Ｎ２−５、ＳｉＨ４、ＰＨ３−１…ＰＨ３−５、Ｏ２、ＣｌＦ３などが設けられている。また操作対象となる弁（ＯＰＥＮ  ＶＡＬＶＥ）の種類の欄が左から右に８０個ほど設けられ、各ステップＩＤにおいて必要となる弁が表示できるようになっている。更に、図示してない温度設定欄も設けられている。尚、図３においては、縦軸がステップＩＤ、横軸には制御パラメータや各ステップにおいて操作対象となる弁が設けられているが、表形式は、これに限定されず、例えば、単に縦軸と横軸を入れ替えるなど種々の変更が可能である。
【実施例】
【００２７】
本発明の基板処理システムで用いられる基板処理装置の構成をより具体的に図面を用いて説明する。尚、以下の説明では、基板処理装置として基板に拡散処理やＣＶＤ処理などを行なう縦型の装置（以下、単に処理装置という）を適用した場合について述べる。
【００２８】
＜前提となる基板処理装置の構成＞
図４は、本発明に適用される処理装置の外観斜視図である。尚、この図は透視図として描かれている。また、図５は図４に示す処理装置の平面図である。
【００２９】
本発明の処理装置は、シリコン等からなるウエハ（基板）２００を収納したポッド（基板収納容器）１００を、外部から筐体１０１内へ挿入するため、およびその逆に筐体１０１内から外部へ払出すためのＩ／Ｏステージ（保持具授受部材）１０５が筐体１０１の前面に付設され、筐体１０１内には挿入されたポッド１００を保管するためのカセット棚（載置手段）１１０が敷設されている。また、筐体１０１内の中ほどには、ウエハ２００を移載するためのＮ２パージ室（第１の気密室）１０３が設けられている。ウエハ２００の処理を行なうときのＮ２パージ室１０３の内部は、ウエハ２００の自然酸化膜を防止するためにＮ２ガスなどの不活性ガスが充満されるように、Ｎ２パージ室１０３は密閉容器となっている。
【００３０】
上記ポッド１００としては、現在ＦＯＵＰというタイプが主流で使用されており、ポッド１００の一側面に設けられた開口部を蓋体（図示せず）で塞ぐことで大気からウエハ２００を隔離して搬送でき、蓋体を取り去る事でポッド１００内へウエハ２００を入出させることができる。このポッド１００の蓋体を取り外し、ポッド内の雰囲気とＮ２パージ室１０３の雰囲気とを連通させるために、Ｎ２パージ室１０３の前面側には、ポッドオープナ（開閉手段）１０８が設けられている。ポッドオープナ１０８、カセット棚１１０、およびＩ／Ｏステージ１０５間のポッド１００の搬送は、カセット移載機１１４によって行なわれる。このカセット移載機１１４によるポッド１００の搬送空間には、筐体１０１に設けられたクリーンユニット（図示せず）によって清浄化した空気をフローさせるようにしている。
【００３１】
筐体１０１の後方には、Ｎ２パージ室１０３と接続された２つのロードロック室（第２の気密室）１０２が設けられており、それらのロードロック室１０２の上方にはウエハ２００を処理する処理炉２０２が１つずつ設けられている。
【００３２】
各ロードロック室１０２には、Ｎ２パージ室１０３と連通する開口部を開閉する仕切手段としてのロードロックドア１２３が備えられている。このロードロックドア１２３を閉じることにより、ロードロック室１０２はＮ２パージ室１０３とは独立した気密室となる。そしてロードロック室１０２は、Ｎ２等の不活性ガスが充満されたり、あるいは減圧雰囲気とされる。
【００３３】
ロードロック室１０２には、ウエハを多段に積載するボート２１７と、ボート２１７を処理炉２０２へローディングおよび処理炉２０２からアンローディングするためのボートエレベータ（昇降手段）１１３が設けられている。
【００３４】
上記Ｎ２パージ室１０３の内部には、ウエハ２００のノッチ（又はオリエンテーションフラット）の位置を任意の位置に合わせる基板位置合わせ装置１０６と、処理炉２０２にてウエハ２００の処理を行なう前後のウエハを一時仮置きしておく載置台１２４と、ポッドオープナ１０８上のポッド１００、基板位置合わせ装置１０６、載置台１２４、ロードロック室１０２内のボート２１７の間でウエハの搬送を行なうウエハ移載機（搬送手段）１１２とが設けられている。
【００３５】
次に、本発明の処理装置の動作について説明する。
先ず、ＡＧＶやＯＨＴなどにより筐体１０１の外部から搬送されてきたポッド１００は、Ｉ／Ｏステージ１０５に載置される。Ｉ／Ｏステージ１０５に載置されたポッド１００は、カセット移載機１１４によって、直接ポッドオープナ１０８上に搬送されるか、または、一旦カセット棚１１０にストックされた後にポッドオープナ１０８上に搬送される。ポッドオープナ１０８上に搬送されたポッド１００は、ポッドオープナ１０８によってポッド１００の蓋体を取り外され、ポッド１００の内部雰囲気がＮ２パージ室１０３の雰囲気と連通される。
【００３６】
次に、ウエハ移載機１１２によって、Ｎ２パージ室１０３の雰囲気と連通した状態のポッド１００内からウエハ２００を取り出す。取り出されたウエハ２００は、基板位置合わせ装置１０６によって任意の位置にノッチが定まる様に位置合わせが行なわれる。位置合わせ後、ウエハ２００は、ウエハ移載機１１２によって、２つのロードロック室１０２の内のどちらか１つのロードロック室１０２内のボート２１７へ、または載置台１２４に一時載置された後にどちらかのボート２１７へ搬送される。
【００３７】
２つの内のどちらのボート２１７へウエハ２００を搬送するかについては、任意により選択でき、例えば、２つのボート２１７に交互に搬送するようにしておいても良いし、片方の処理炉２０２をメンテナンスしている場合などには、もう一方のボート２１７へしか搬送しないようにするなど、種々設定が可能である。
【００３８】
ボート２１７へのウエハ２００の搬送が完了したならば、ロードロックドア１２３が閉じられ、ロードロック室１０２は、不活性ガスで充満される、もしくは減圧雰囲気とされる。
【００３９】
ここで不活性ガスで充満されるという点について詳説する。上記したように、元々、Ｎ２パージ室１０３は、不活性ガスで充満されているので、ロードロックドア１２３が開放されていれば、ロードロック室１０２も不活性ガス雰囲気となる。ロードロックドア１２３を閉じてなお、ロードロック室を不活性ガスで充満させる意図は、処理炉２０２へローディング、アンローディングする時に処理炉２０２の熱によって加熱されたウエハ２００は、加熱されていない時のものと比べ自然酸化膜が形成されやすい状態となっており、Ｎ２パージ室１０３の不活性ガス濃度以上にロードロック室の不活性ガス濃度を高める事により、更にウエハ２００上への自然酸化膜の付着防止が図れるということにある。
【００４０】
従い、ロードロック室１０２も不活性ガスで充満させる場合には、Ｎ２パージ室、ロードロック室夫々に不活性ガスを流量調整しつつ導入する導入路（図示せず）を有し、導入路は不活性ガス源と接続される事となる。
【００４１】
ロードロック室１０２を減圧雰囲気とする場合には、ロードロック室１０２の雰囲気を排気する為の排気管（図示せず）と、排気管の先にはポンプが接続される事となる。
【００４２】
ロードロック室１０２が、任意の不活性ガス雰囲気（濃度）、または任意の減圧状態となったら、処理炉２０２の炉口シャッタ１１６を開けて、ボートエレベータ１１５によりウエハ２００を搭載したボート２１７をローディングする。
【００４３】
ローディング後は、処理炉２０２にてウエハ２００に任意の処理が実施され、処理後は上述の逆の手順で、ウエハ２００およびポッド１００は筐体１０１の外部へ払出される。
【００４４】
＜メインコントローラの構成＞
図６は本実施例の縦型拡散ＣＶＤ装置（コントローラ搭載装置）のメインコントローラ１Ａを示すブロック図である。メインコントローラ１Ａは、従来の図８の場合と同様に、制御部プログラム群により構成される制御部１０、操作部プログラム群により構成される操作部２０及びメモリ３０を有する。ただし、メモリ３０は、制御部１０側のメモリ３０ａと、操作部２０側のメモリ３０ｂに分かれている。
【００４５】
制御部１０は、ウェハ移載機２、ヒータ（反応炉）３、ポンプ・圧力バルブ４、ガス配管・ＭＦＣ（マスフロコントローラ）５に対する制御を行うもので、メモリ３０ａの各種設定パラメータの格納エリア３１ａを参照して制御パラメータを展開するモジュール（制御パラメータ展開モジュール）１１を有する。この制御パラメータにはガス種毎の流量、圧力、温度等がある。また、制御部１０は、メモリ３０ａの共用設定パラメータの格納エリア３２ａを参照して共用設定パラメータを展開するモジュール（共用設定パラメータ展開モジュール）１２と、メモリ３０ａのレシピデータ格納エリア３３ａを参照してレシピ内容に従ってシーケンス制御をするモジュール（レシピシーケンス制御モジュール）１３を有する。
【００４６】
一方、操作部２０は、処理装置が使用できるデータ記述形式（バイナリ形式）でハードディスク４０に保存されているファイルを、ＣＳＶ（カンマ区切りテキスト形式）のテキストファイルに変換するデータ記述形式変換モジュール（第１のデータ記述形式変換手段）２１と、外部記憶メディア及びハードディスク４０へのファイルコピーを行うファイルコピー手段２２とを有する。さらに操作部２０は、外部記憶メディアに保存されているＣＳＶテキスト形式ファイルを、処理装置で使用できるファイル形式ファイル（バイナリ形式）に変換できるデータ記述形式変換モジュール（第２のデータ記述形式変換手段）２３と、メモリ及びハードディスクＨＤＤへのデータ設定モジュール２４とを備えている。編集画面データ入力手段２５は存在しても良いが、ここでは省略されている。
【００４７】
本実施例のメインコントローラ１Ａは、従来の図８の場合と次の点で異なっている。まず操作部２０内に、ＣＳＶテキスト形式ファイルをバイナリ形式ファイルに変換できる上記データ記述形式変換モジュール（第２のデータ記述形式変換手段）２３を備えている。また、メモリ３０は、制御部１０側のメモリ３０ａと、操作部２０側のメモリ３０ｂに分かれており、メモリ３０ａには、各種設定パラメータの格納エリア３１ａ、共用設定パラメータの格納エリア３２ａ、レシピデータ格納エリア３３ａが用意され、またメモリ３０ｂには、各種設定パラメータの格納エリア３１ｂ、共用設定パラメータの格納エリア３２ｂ、レシピデータ格納エリア３３ｂが用意されている。さらに、制御部１０と操作部２０とはローカルエリアネットワークＬＡＮ５０で結ばれており、このため制御部１０にはデータ送受信モジュール５１を、また操作部２０にはデータ送受信モジュール５２を備えている。また、図示しない画面表示モジュールを備える。
【００４８】
＜動作＞
次に、図７において、動作を説明する。
上記基板処理装置の制御部１０におけるメモリ３０ａの内容、すなわち格納エリア３１ａ、３２ａ、３３ａの内容である各種設定パラメータ、共用設定パラメータ、レシピデータは、ＬＡＮ５０を介して、操作部２０側のメモリ３０ｂの格納エリア３１ｂ、３２ｂ、３３ｂに逐次移される。
【００４９】
上述したように、クリーンルーム内の処理装置に存在するプロセスレシピや各種制御テーブルのデータは、処理装置で使用できるデータ記述形式であるバイナリ形式で存在する。そこで、このプロセスレシピや各種制御テーブルをクリーンルーム以外の場所であるオフィスで編集し、再度処理装置に戻したい場合には、次のようにする。以下、代表的にプロセスレシピについて説明するが、各種制御テーブルの場合も同様である。
【００５０】
まず図７に示すように、処理装置で使用できるバイナリ形式ファイルを、データ記述形式変換モジュール（第１のデータ記述形式変換手段）２１により、ＣＳＶテキスト形式ファイルに変換する（ステップＳ１）。次いで、ファイルコピー手段２２により、このＣＳＶテキスト形式ファイルを処理装置内のハードディスク４０に保存する（ステップＳ２）。そして、このＣＳＶテキスト形式ファイルをハードディスク４０から外部記憶メディアにコピーする（ステップＳ３）。
【００５１】
この外部記憶メディアをクリーンルーム以外の場所であるオフィスに持ち込み、このテキストファイルを表形式のソフトウエア（商品名“エクセル”）で開く。そして、このテキストデータのファイルを基に、表形式のソフトウエア上で必要な修正等を加え編集する。
【００５２】
その際、表形式のソフトウエア（商品名“エクセル”）で開かれたテキストファイル、つまり表形式編集画面のレシピの内容は、例えば図３の如くであり、この複数行のステップから成る表形式のレシピがオフィスにおけるコンピュータ（表形式編集手段）のディスプレイ画面（表形式編集画面）上に表示される。これはテキスト形式でデータを扱って行われるため、バイナリデータを扱う場合のように意味把握が困難となることはなく、容易に編集を行うことができる。
【００５３】
編集を終えたならば、このテキストによる表形式にて表示したレシピ（テキストファイル）を、ＣＳＶテキスト形式ファイルの形にて外部記憶メディアに保存する（ステップＳ４）。
【００５４】
この外部記憶メディアをクリーンルーム内に持ち込む。そして、外部記憶メディアのＣＳＶテキスト形式ファイルを処理装置操作部２０内のハードディスク４０に保存する（ステップＳ５）。
【００５５】
次に、このＣＳＶテキスト形式ファイルを、処理装置操作部２０内のデータ記述形式変換モジュール（第２のデータ記述形式変換手段）２３により、処理装置で使用できるバイナリ形式ファイルに変換する（ステップＳ６）。そして、この処理装置で使用できるバイナリ形式のファイルを、処理装置内ハードディスク４０に保存する（ステップＳ７）。
【００５６】
上記のようにして生成されたバイナリ形式のファイル（プロセスレシピ）を処理装置で実行させ、成膜処理を実施する（ステップＳ８）。すなわち、処理装置内ハードディスク４０のバイナリ形式ファイルを操作部２０のメモリ３０ｂへ読み出した後、これから制御部１０のメモリ３０ａへ移し、制御部１０による動作に供させる。又、図示しない画面表示モジュールにより、上記生成されたバイナリ形式ファイル（プロセスレシピ）が操作画面上で実行されると、図２（ステップ編集画面）のような画面が表示される。
【００５７】
ここで制御部１０の制御パラメータ展開モジュール１１は、メモリ３０ａの各種設定パラメータの格納エリア３１を参照して制御パラメータを展開し、共用設定パラメータ展開モジュール１２は、メモリ３０ａの共用設定パラメータの格納エリア３２ａを参照して共用設定パラメータを展開する。そしてレシピシーケンス制御モジュール１３はメモリ３０ａのレシピデータ格納エリア３３を参照し、そのレシピデータに従って、ウェハ移載機２、ヒータ（反応炉）３、ポンプ・圧力バルブ４、ガス配管・ＭＦＣ（マスフロコントローラ）５に対する制御を行う。
【００５８】
＜実施例の効果＞
本機能を対応することにより、下記のように、従来機能の問題点が解消可能となった。
従来では、クリーンルームで装置に存在するプロセスレシピや各種制御テーブルの装置で使用できるファイル形式をＣＳＶテキスト形式ファイルに変換し、クリーンルーム以外の場所（オフィスなど）でテキスト形式ファイルを表形式で編集し、その編集したファイルを印刷した紙をクリーンルームに持ち込んで、処理装置の画面上で紙を参照しながら編集する必要があった。この為、せっかく作成した表形式のテキスト形式ファイルが生かされず、何度も画面を切り替えつつ、又紙を見ながら編集を行うので、制御パラメータ設定の入力ミスが発生することがあった。
【００５９】
これは、対応前の図８の場合、プロセスレシピや各種制御テーブルの装置で使用できるファイル形式のファイルをＣＳＶテキスト形式ファイルに変換する機能は存在していたが、ＣＳＶテキスト形式ファイルを装置で使用できるファイル形式ファイルに変換する機能が存在しなかった為である。オフィスＰＣにおける商品名“ＥＸＣＥＬ”上で作成した表形式のＣＳＶテキスト形式ファイルのデータは変換されず、実際に処理装置側にてプロセスレシピや各種制御テーブルを作成する作業が発生する為、制御パラメータ設定の入力ミスや作業効率が悪くなっている。また、作成した表形式のＣＳＶテキスト形式ファイルは印刷して参照するのみの価値しかなくなる。
【００６０】
これに対し、本実施例に係る対応後の図６の場合、プロセスレシピや各種制御テーブルの装置で使用できるバイナリ形式のファイルをＣＳＶテキスト形式のファイルに変換する機能だけでなく、本発明の特徴であるＣＳＶテキスト形式のファイルを装置で使用できるバイナリ形式に変換する機能をサポートすることで、クリーンルーム外のオフィス側コンピュータＰＣにおける“ＥＸＣＥＬ”（商品名）上で作成した表形式のテキストファイルのデータが、そのままバイナリ形式に変換され、実際にＣＶＤ装置にて使用可能となり、対応前と比べて装置側で制御パラメータ設定の入力が少なくなり、作業効率もアップする。
尚、本実施の形態では、装置側で表形式のテキストファイルを使用できるようにしても構わない。そうすれば、作業者はクリーンルーム外に移動することなく、装置画面上で、プロセスレシピ等のバイナリ形式のファイルを表形式のデータに加工できる。従って、この場合、バイナリ形式のファイルをテキストファイルに変換し、表形式のデータに編集し、又この編集したデータをバイナリ形式に変換するという一連のレシピ編集作業を装置画面上で行える。
【００６１】
＜変形例など＞
上記実施例では、縦型拡散ＣＶＤ装置を例にして説明したが、本発明は、縦型装置だけでなく枚葉装置でも横型装置にも適用できる。また、基板処理装置として、半導体製造装置だけでなく、ＬＣＤ装置のようなガラス基板を処理する装置でも適用することができる。要するに、基板（半導体基板、ガラス基板等）処理を行う装置であれば、いかなる装置にも本発明が適用可能である。
更に、本発明は、炉内の処理には何等関係なく、ＣＶＤ、酸化、拡散、アニールでも適用することができる。
【００６２】
尚、ファイルの送受信を通信回線上で行うことができれば、外部メディアを介することなく、容易にファイルの変換が行なえるので、クリーンルーム外のオフィスＰＣとクリーンルーム内の装置を通信回線で接続するのが好ましい。更にいえば、上記オフィスＰＣに第１データ記述形式変換手段、第２データ記述形式変換手段を持たせ、オフィスＰＣ上で編集だけでなくデータ変換を行わせても良く、この場合、作業者はクリーンルーム内に入らずに編集作業ができ、且つデータを装置に移すことができる。
【図面の簡単な説明】
【００６３】
【図１】本発明の基板処理システムにおけるデータ記述形式変換機能を説明する図である。
【図２】本発明の基板処理システムのステップ編集画面を示す図である。
【図３】本発明の基板処理システムのオフィス側ＰＣにおける表形式編集画面を示す図である。
【図４】本発明を適用した基板処理装置の機械的構成部分を示す外観斜視図である。
【図５】図４の基板処理装置の平面図である。
【図６】本発明の基板処理装置のメインコントローラの構成を示すブロック図である。
【図７】図６のメインコントローラの動作を示すフロー図である。
【図８】従来の基板処理装置のメインコントローラの構成を示すブロック図である。
【符号の説明】
【００６４】
１Ａ  メインコントローラ
２  ウェハ移載機
３  ヒータ（反応炉）
４  ポンプ・圧力バルブ
５  ガス配管・ＭＦＣ
１０  制御部
１１  制御パラメータ展開モジュール
１２  共用設定パラメータ展開モジュール
１３  レシピシーケンス制御モジュール
２０  操作部
２１  データ記述形式変換モジュール（第１のデータ記述形式変換手段）
２２  ファイルコピー手段
２３  データ記述形式変換モジュール（第２のデータ記述形式変換手段）
２４  データ設定モジュール
３０ａ、３０ｂ  メモリ
３１ａ、３１ｂ  各種設定パラメータの格納エリア
３２ａ、３２ｂ  共用設定パラメータの格納エリア
３３ａ、３３ｂ  レシピデータ格納エリア
４０  ハードディスク
６１  レシピ名
６２  ステップＩＤ
７１  流量の詳細
８１  温度の詳細
９１  圧力の詳細
【図１】
2006093615.tif 000003
【図２】
2006093615.tif 000004
【図３】
2006093615.tif 000005
【図４】
2006093615.tif 000006
【図５】
2006093615.tif 000007
【図６】
2006093615.tif 000008
【図７】
2006093615.tif 000009
【図８】
2006093615.tif 000010